(57)【要約】【課題】高密度記録化が要求されるようになったディジタル信号の記録再生では、隣接するライトヘッドの書き込み動作とリードヘッドの読み出し動作が同時に起こる場合に発生するクロストークの影響が無視できない。【解決手段】データを書き込むライトヘッド１０１と、データを読み出すリードヘッド１０３と、リードヘッド１０３により再生されたディジタル再生信号及び、ライトヘッド１０１による記録信号を入力する信号等化回路とを備え、信号等化回路はニューラルネットを用いて非線形フィルタ１０６を構成し、クロストークの影響を効果的に軽減することができる。【選択図】　図１
2004095096.tif 000002
【特許請求の範囲】
【請求項１】
記録媒体上にデータを書き込むライトヘッドと、記録媒体上に書き込まれているデータを読み出すリードヘッドと、前記リードヘッドにより読み出されたアナログ再生信号をディジタル化しディジタル再生信号を出力するＡ／Ｄ変換器と、前記ディジタル再生信号を入力とする信号等化回路を備え、
前記ライトヘッドの書き込み動作が前記リードヘッドの読み出し動作と同時に起こる場合に発生するクロストークの影響を前記信号等化回路が非線形等化を行うことで軽減するディジタル信号記録再生装置。
【請求項２】
前記信号等化回路は、
前記ディジタル再生信号を入力し、縦続接続された複数個の第１の遅延素子によって、前記再生信号を所定時間ずつ遅延し、遅延されたそれぞれの前記ディジタル再生信号をそれぞれ出力する複数ユニットを有する第１の入力層と、
前記ライトヘッドがデータを書き込む際に用いる記録信号を入力し、縦続接続された複数個の第２の遅延素子によって、前記記録信号を所定時間ずつ遅延し、遅延されたそれぞれの前記記録信号をそれぞれ出力する複数ユニットを有する第２の入力層と、
前記第１の入力層および第２の入力層各ユニットの出力を入力とし、学習により決定される第ｎ（ｎは自然数）の等化係数と前層各ユニット出力との積和を非線形関数により変換し出力する、ｎ層からなる中間層と、
前記中間層各ユニットの出力と前記学習により決定される第ｎ＋１の等化係数との積和を出力する出力層とを有し、
前記第１から第ｎ＋１の等化係数は、前記出力層の出力と、所定の等化目標値との等化誤差を最小とするように行う学習によって決定される請求項１に記載のディジタル信号記録再生装置。
【請求項３】
前記信号等化回路は、前記第１の入力層に入力される前記ディジタル再生信号と前記第２の入力層に入力される前記記録信号の同期が取れていない場合においても、前記クロストークの影響を軽減するように前記学習を行う請求項１に記載のディジタル信号記録再生装置。
【請求項４】
記録媒体上にデータを書き込むライトヘッドと、記録媒体上に書き込まれているデータを読み出すリードヘッドと、前記リードヘッドにより読み出されたアナログ再生信号をディジタル化しディジタル再生信号を出力するＡ／Ｄ変換器と、前記ディジタル再生信号を入力とする信号等化回路を備えたディジタル信号記録再生装置の記録再生方法であって、
前記信号等化回路が非線形等化を行うことによって、前記ライトヘッドの書き込み動作が前記リードヘッドの読み出し動作と同時に起こる場合に発生するクロストークの影響を軽減するディジタル信号記録再生方法。
【請求項５】
請求項１記載のディジタル信号記録再生装置の前記信号等化回路として、コンピュータを機能させるためのプログラム。
【請求項６】
請求項５記載のプログラムを担持した媒体であって、コンピュータにより処理可能なことを特徴とする媒体。
【発明の詳細な説明】
【０００１】
【発明の属する技術分野】
本発明は、ディジタル信号記録再生装置（国際特許分類Ｇ１１Ｂ　２０／１０）に関するものであり、特に磁気テープ等の磁気記録媒体から読み出されたディジタル信号に含まれる隣接するライトヘッドからのクロストークによる影響を軽減する技術に関するものである。
【０００２】
【従来の技術】
従来の磁気テープ装置におけるデータを記録再生する際の信号処理の流れについて図５を用いて説明する（例えば、特許文献１参照）。
【０００３】
ライトヘッド２０１によって記録媒体１０２に記録されたデータはリードヘッド２０３により読み出され、アナログ前置フィルタ２０４に入力される。アナログ前置フィルタ２０４に入力されたアナログ再生信号は、高域の雑音をカットされ、波形等化が行われる。続いてアナログ前置フィルタ２０４により波形等化が行われたアナログ再生信号は、Ａ／Ｄ変換器１０５によりサンプリングされディジタル再生信号となり、後置等化器（図示せず）でさらに波形等化が行われ、復号手段（図示せず）により復号が行われ２値データが得られる。
【０００４】
ここで、従来の磁気テープ装置では、通常の書き込み動作時にはライトヘッド２０１により記録媒体である磁気テープにデータを書き込み、その直後にリードヘッド２０３によりデータの読み出しチェックを行うリードアフターライトと称する動作を行い、このときに読み出しエラーが検出された場合には、再びライトヘッド２０１によりデータを書き込むという書き込みリトライ動作を実行している。
【０００５】
リードアフターライトについて具体的に図面を参照して、従来の磁気テープ装置における動作の一例を説明する。図６は従来のディジタル信号記録再生装置で採用されているリードヘッド及びライトヘッドを備えた回転ドラム２１０である。
【０００６】
回転ドラム２１０にはライトヘッド２０１ａおよび２０１ｂ、リードヘッド２０３ａ、および２０３ｂがそれぞれ交互に配置されており、２組のリードヘッド、ライトヘッド（ライトヘッド２０１ａとリードヘッド２０３ａの組、ライトヘッド２０１ｂとリードヘッド２０３ｂの組）が互いに異なるアジマス角の記録トラックに対してデータの記録再生を行っている。つまり、２組のリードヘッド、ライトヘッドを用いて互いに異なるデータ（Ａｃｈ、Ｂｃｈ）の記録再生を交互に行っている。
【０００７】
回転ドラム２１０では、ライトヘッド２０１ａにより磁気テープ２１３にデータを書き込むと、ライトヘッド２０１ａの回転ドラム１／４回転後方に配置されたリードヘッド２０３ａによりデータの読み出しチェックを行う。そして、このとき読み出しエラーが検出された場合には、再びライトヘッド２０１ａによりデータを書き込む。
【０００８】
【特許文献１】
特開平９−２４５３０７号公報
【０００９】
【発明が解決しようとする課題】
次世代の磁気テープを記録媒体としたディジタル磁気記録再生系では、更に高速化した記録再生信号処理を行うために３組以上の互いに異なるデータが同時に信号処理される。一例として、回転ドラム２１０に８つのライトヘッド及び８つのリードヘッドが設置され、磁気テープが回転ドラムの中心に対して１８０度巻きつけられた場合、図４のような構造となる。
【００１０】
図４において、ライトヘッド１０１ａ、ライトヘッド１０１ｅ、リードヘッド１０３ａ、リードヘッド１０３ｅはＡｃｈ、ライトヘッド１０１ｂ、ライトヘッド１０１ｆ、リードヘッド１０３ｂ、リードヘッド１０３ｆはＢｃｈ、ライトヘッド１０１ｃ、ライトヘッド１０１ｇ、リードヘッド１０３ｃ、リードヘッド１０３ｇはＣｃｈ、ライトヘッド１０１ｄ、ライトヘッド１０１ｈ、リードヘッド１０３ｄ、リードヘッド１０３ｈはＤｃｈのライトヘッドおよびリードヘッドである。
【００１１】
ここで、４組の互いに異なるデータに対して図４のように８つのリードヘッドおよびライトヘッドが設置されているのは、回転ドラムの中心に対して１８０度巻きつけられた磁気テープに４ｃｈ同時記録・再生を行い回転ドラムが半回転する度に各ｃｈに２つずつ設置されているリードヘッドおよびライトヘッドを交互に切り替えて記録・再生を行うことでより高速化した記録再生信号処理を行うためである。
【００１２】
このような状態でリードアフターライトを行うと例えば、リードヘッド１０３ａでデータの読み出しを行う際に、隣接するライトヘッド１０１ｂでは他のデータの書き込みが行われている。この場合、リードヘッド１０３ａから読み出されるデータは、Ａｃｈの記録トラックに記録されているデータだけでなく、ライトヘッド１０１ｂがＢｃｈに書き込む動作によって生じる磁場の影響を受けてしまい、再生信号の劣化を招いてしまう。
【００１３】
このような隣接するライトヘッドの記録動作に起因するクロストークが発生した場合、従来のディジタル信号記録再生装置をそのまま用いると、再生信号が劣化し、波形等化がうまく行われない結果、信号品質の低下を招いてしまうといった問題点があった。
【００１４】
更に、このようなクロストークは隣接するライトヘッドの記録動作に依存するものであり、他の記録トラックに関するデータに起因する非線形の現象である。そのため、従来の線形等化器を用いたとしても効率よくクロストークの影響を取り除くことは困難である。
【００１５】
本発明は、上記従来の信号記録再生装置の問題点を考慮し、上述したようなリードアフターライトを行う際のライトヘッドによる書き込みとリードヘッドによる読み出しが同時に起こる場合に発生するクロストークの影響を軽減できるディジタル信号記録再生装置を提供することを目的とするものである。
【００１６】
【課題を解決するための手段】
第１の本発明は、記録媒体上にデータを書き込むライトヘッドと、記録媒体上に書き込まれているデータを読み出すリードヘッドと、前記リードヘッドにより読み出されたアナログ再生信号をディジタル化しディジタル再生信号を出力するＡ／Ｄ変換器と、前記ディジタル再生信号を入力とする信号等化回路を備え、
前記ライトヘッドの書き込み動作が前記リードヘッドの読み出し動作と同時に起こる場合に発生するクロストークの影響を前記信号等化回路が非線形等化を行うことで軽減するディジタル信号記録再生装置である。
【００１７】
第２の本発明は、前記信号等化回路が、
前記ディジタル再生信号を入力し、縦続接続された複数個の第１の遅延素子によって、前記再生信号を所定時間ずつ遅延し、遅延されたそれぞれの前記ディジタル再生信号をそれぞれ出力する複数ユニットを有する第１の入力層と、
前記ライトヘッドがデータを書き込む際に用いる記録信号を入力し、縦続接続された複数個の第２の遅延素子によって、前記記録信号を所定時間ずつ遅延し、遅延されたそれぞれの前記記録信号をそれぞれ出力する複数ユニットを有する第２の入力層と、
前記第１の入力層および第２の入力層各ユニットの出力を入力とし、学習により決定される第ｎ（ｎは自然数）の等化係数と前層各ユニット出力との積和を非線形関数により変換し出力する、ｎ層からなる中間層と、
前記中間層各ユニットの出力と前記学習により決定される第ｎ＋１の等化係数との積和を出力する出力層とを有し、
前記第１から第ｎ＋１の等化係数は、前記出力層の出力と、所定の等化目標値との等化誤差を最小とするように行う学習によって決定される第１の本発明のディジタル信号記録再生装置である。
【００１８】
第３の本発明は、前記信号等化回路が、前記第１の入力層に入力される前記ディジタル再生信号と前記第２の入力層に入力される前記記録信号の同期が取れていない場合においても、前記クロストークの影響を軽減するように前記学習を行う第１の本発明のディジタル信号記録再生装置である。
【００１９】
第４の本発明は、記録媒体上にデータを書き込むライトヘッドと、記録媒体上に書き込まれているデータを読み出すリードヘッドと、前記リードヘッドにより読み出されたアナログ再生信号をディジタル化しディジタル再生信号を出力するＡ／Ｄ変換器と、前記ディジタル再生信号を入力とする信号等化回路を備えたディジタル信号記録再生装置の記録再生方法であって、
前記信号等化回路が非線形等化を行うことによって、前記ライトヘッドの書き込み動作が前記リードヘッドの読み出し動作と同時に起こる場合に発生するクロストークの影響を軽減するディジタル信号記録再生方法である。
【００２０】
本発明の上述した構成によって、リードアフターライトを行う場合のライトヘッドによる書き込みとリードヘッドによる読み出しが同時に起こる場合に発生するクロストークの影響を軽減する。
【００２１】
また、第５の本発明は、第１の本発明のディジタル信号記録再生装置の前記信号等化回路として、コンピュータを機能させるためのプログラムである。
【００２２】
また、第６の本発明は、第５の本発明のプログラムを担持した媒体であって、コンピュータにより処理可能なことを特徴とする媒体である。
【００２３】
【発明の実施の形態】
以下に、本発明の実施の形態について図１、図２、図３を参照しながら説明する。図１は本発明の実施の形態におけるディジタル信号記録再生装置の構成例である。
【００２４】
図１において、ライトヘッド１０１により記録媒体１０２に記録されたデータはリードヘッド１０３により読み出され、ローパスフィルタ１０４に入力される。ローパスフィルタ１０４に入力されたアナログ再生信号は、高域の周波数通過を制限されることにより高域ノイズをカットされる。
【００２５】
ここで、ローパスフィルタ１０４は高域の通過周波数を制限する機能のみを持てば良いので、１次あるいは２次の次数を持つフィルタで構成すればよい。即ち、従来例では高域ノイズのカットと波形等化の役割を果たすために複雑な構造を持つ高次のフィルタが用いられていたが、本発明では、ディジタル再生信号の波形等化を行い、ライトヘッド１０１からの記録信号を用いることでクロストークの影響を軽減する非線形フィルタ１０６により波形等化がなされるので、ローパスフィルタ１０４を複雑な構造にする必要がない。そのためアナログ部品の数が減ることにより、実装した場合に個々の性能のばらつきが少なくなる。
【００２６】
高域の通過周波数を制限されたアナログ再生信号は、Ａ／Ｄ変換器１０５によりサンプリングが行われディジタル再生信号に変換される。
【００２７】
Ａ／Ｄ変換器１０５によってサンプリングされたディジタル再生信号はライトヘッド１０１が記録する際に用いる記録信号と共に非線形フィルタ１０６に入力される。本発明の信号等化回路の一例である、非線形フィルタ１０６はディジタル再生信号の波形等化を行い、なおかつクロストークによる影響を軽減した信号を出力する。
【００２８】
非線形フィルタ１０６により波形等化され、かつ、クロストークの影響が軽減された信号は後置等化器（図示しない）によって更なる波形等化が行われた後、復号手段（図示しない）によって２値化の処理が行われる。
【００２９】
ここで、非線形フィルタ１０６の動作を図２、図３を用いて説明する。本発明では、高等生物の脳を構成する神経細胞の機能を工学的にモデル化したニューラルネットを用いて非線形フィルタを構成する。
【００３０】
図２は本発明のｎ層からなる中間層が１層（ｎ＝１）である場合、つまり入力層、中間層、出力層の３層構造からなるニューラルネット型非線形フィルタである。図２において、非線形フィルタ１０６は縦続接続された複数個からなる遅延素子１１４と複数の入力層ユニット１１５を有する入力層Ａ１１０及び入力層Ｂ１１１と、乗算器１１８及び複数の中間層ユニット１１６を有する中間層１１２と、乗算器１１８と一つの出力層ユニット１１７を有する出力層１１３からなる。
【００３１】
Ａ／Ｄ変換器１０５から出力されたディジタル再生信号は１データ・サンプリング・クロック時間遅延量を有する遅延素子１１４により遅延されて、次段の遅延素子１１４に出力される。遅延素子１１４により遅延されたディジタル再生信号は、入力層Ａ１１０のＮＡ個からなる各入力層ユニット１１５に入力される。
【００３２】
入力層ＢのＮＢ個からなる各入力層ユニット１１５には、隣接するライトヘッドによって記録されるべきディジタルデータである記録信号が入力層Ａの場合と同様、遅延素子１１４により遅延され、入力される。
【００３３】
入力層Ａ１１０及び入力層Ｂ１１１における各入力層ユニット１１５は入力された信号をそのまま出力する。すなわち、入力層Ａ１１０と入力層Ｂ１１１をまとめてＮＡ＋ＮＢ個の入力層ユニットからなる入力層として考えると、入力層ｉ番目の入力層ユニットにはｋ番目のディジタル再生信号Ｒｉ（ｋ）あるいは記録信号Ｗｉ（ｋ）が入力される。ここで、０＜ｉ≦ＮＡの場合は上述したディジタル再生信号Ｒｉ（ｋ）が、ＮＡ＋１≦ｉ≦ＮＡ＋ＮＢの場合は上述した記録信号Ｗｉ（ｋ）が入力層ユニット１１５の入力となる。
【００３４】
入力層ユニット１１５からの出力Ｘｉ（ｋ）は乗算器１１８により、入力層ｉ番目の入力層ユニット１１５と中間層ｊ番目の中間層ユニット１１６間の結合荷重Ｖｊｉ（ｋ）が掛けられて、中間層ユニット１１６への入力の一つになる。中間層ユニット１１６の出力Ｙｊ（ｋ）は中間層ユニット１１６の入力の総和Ｕｊ（ｋ）を図３で示されるようなシグモイド関数で変換したものになる。即ち、
【００３５】
【数１】
2004095096.tif 000003
【００３６】
【数２】
ｆ（ｕ）＝１／（１＋ｅｘｐ（−Ｃ・ｕ））
の式が成立する。数２で示されるｆ（ｕ）は飽和型であるシグモイド関数であり、非線形性を持つ。さらに、定数Ｃはシグモイド関数の傾きを決定するパラメータであり、図３ではＣ＝１の場合を示している。
【００３７】
ここで、中間層ユニット１１６に非線形関数であるシグモイド関数を用いると、次のような効果が得られる。
【００３８】
即ち、入力層ユニット１１５にクロストークの影響をうけたディジタル再生信号Ｒｉ（ｋ）が入力された場合、つまり、これは通常の振幅値から大きく外れたデータである可能性がある。この結果、中間層ユニット１１６に入力される入力値の絶対値が非常に大となっていた場合、従来の線形等化器では、このクロストークの影響を軽減することができず、理想値から大きく外れた値を出力してしまう。しかしながら、非線形の飽和関数であるシグモイド関数を使うことで、このような現象が起きたときに中間層ユニットの出力値を有限範囲内で抑えることができるため、クロストークの影響を効果的に軽減できる一因となる。
【００３９】
また、図示していないが、シグモイド関数の傾きＣを変化させると、関数の入力ｕに対して出力ｆ（ｕ）が飽和する範囲が変化する。そのため、実際に発生するクロストークによるディジタル再生信号Ｒｉ（ｋ）の振幅の変化量に合わせて最適なクロストークの影響を抑える値にフィッティングすることが可能である。
【００４０】
中間層ユニット１１６の出力は中間層ｊ番目の中間層ユニット１１６と出力層ユニット１１７間の結合荷重Ｗｊ（ｋ）が掛けられて、出力層ユニット１１７への入力の一つになる。出力層ユニット１１７では、入力された信号の総和を出力する。すなわち、出力層ユニット１１７の出力Ｚ（ｋ）は次式のようになる。
【００４１】
【数３】
2004095096.tif 000004
【００４２】
結合荷重Ｖｊｉ（ｋ）、Ｗｊ（ｋ）は数４、数５を繰り返すことで修正される誤差逆伝播法によって学習が行われ決定される。
【００４３】
【数４】
Ｗｊ（ｋ）＝Ｗｊ（ｋ）＋ΔＷｊ（ｋ）
【００４４】
【数５】
Ｖｊｉ（ｋ）＝Ｖｊｉ（ｋ）＋ΔＶｊｉ（ｋ）
誤差逆伝播法とは、出力層のユニットが教師信号にできるだけ近い値を出力するように各結合荷重を調整するものである。すなわち、出力層ユニット出力と教師信号の２乗誤差を結合荷重で微分し、それに基づいて最急降下法を適用し、結合荷重の変化量を求める方法である。ここで、非線形フィルタ１０６の理想出力を教師信号として用いる。
【００４５】
まず全ての結合荷重の値に、初期値としてランダムな小さな値を設定し、ｋ番目の入力データが入力された時に期待される教師信号をＴ（ｋ）とすると、出力層ユニット１１７の出力Ｚ（ｋ）との２乗誤差Ｅは
【００４６】
【数６】
Ｅ＝１／２（Ｔ（ｋ）−Ｚ（ｋ））・（Ｔ（ｋ）−Ｚ（ｋ））
となる。数６の２乗誤差Ｅをもとに、出力層、中間層の結合荷重の変化量ΔＷｊ（ｋ）、ΔＶｊｉ（ｋ）は以下の式により求められる。
【００４７】
【数７】
ΔＷｊ（ｋ）＝α（Ｔ（ｋ）−Ｚ（ｋ））・Ｙｊ（ｋ）
【００４８】
【数８】
ΔＶｊｉ（ｋ）＝β（Ｔ（ｋ）−Ｚ（ｋ））・Ｗｊ（ｋ）・Ｙｊ（ｋ）・（１−Ｙｊ（ｋ））
ここで、α、βはそれぞれ学習のスピードを定める定数である。これらの式より、出力層ユニット１１７が教師信号にできるだけ近い値を出力するように出力層、中間層の結合荷重が更新される学習が行われる。
【００４９】
以上の学習アルゴリズムにより、学習用に作成したテストパターンを用いて事前学習を行うことで出力層、中間層の各結合荷重が更新される。ここで、本実施の形態のように第２の入力層を設け、隣接するライトヘッドの記録信号を入力とし学習を行うことで、第２の入力層ユニットと中間層ユニット間の結合荷重は、クロストークが発生する場合にはクロストークの影響を軽減するように更新される。この結果、クロストークが発生した場合においても上述した非線形フィルタ１０６は理想出力に近い値を出力し、クロストークの影響を軽減することが可能となる。
【００５０】
また、上述した非線形フィルタ１０６では、入力層Ａに入力されるディジタル再生信号と、入力層Ｂに入力される隣接するライトヘッドに用いる記録信号の同期が取れていない場合においても、入力層Ｂのユニットを複数にすることで、クロストークの影響を軽減することが可能となる。これは、入力層Ａに入力されるｋ番目のディジタル再生信号Ｒｉ（ｋ）（ｉ＝０，・・・，ＮＡ）がクロストークの影響を受けたものであるとすると、クロストークの発生原因となる隣接するライトヘッドのｋ番目の記録信号Ｗｉ（ｋ）（ｉ＝ＮＡ＋１、・・・、ＮＡ＋ＮＢ）が入力層Ｂのユニットのいずれかに入力されることで、クロストークの影響を軽減するように結合係数の更新がなされる学習が行われ、その結果、理想値に近い出力を得ることができる。即ち、入力層Ａの入力ユニット１１５に入力されるｋ番目のディジタル再生信号Ｒｉ（ｋ）に対応するｋ番目の記録信号Ｗｉ（ｋ）はＮＡ＋１≦ｉ≦ＮＡ＋ＮＢである入力層Ｂの入力層ユニット１１５に入力されればよい。
【００５１】
以上のように、本実施の形態によるディジタル信号記録再生装置によれば、クロストークの影響を含むディジタル再生信号と、クロストークの発生原因となる隣接するライトヘッドの記録信号を非線形フィルタ１０６に入力し、理想出力値と出力ユニットの誤差を利用して学習を行うことで各結合係数が決定され、そのためクロストークの影響が効果的に軽減される作用を有する。
【００５２】
なお、本実施の形態のディジタル磁気記録再生装置においては、非線形フィルタ１０６の中間層ユニット１１６における特性関数としてシグモイド関数を用いたが、一定以上の入力値に対して出力値を一定以内で抑えることのできる関数であれば他の関数を用いても良い。その場合においても、学習により各結合係数はクロストークの影響を軽減するように決定される。
【００５３】
また、本実施の形態の非線形フィルタ１０６は入力層、中間層、出力層からなる３層構造階層型ニューラルネットワークであったが、本発明はこれに限定されるものではなく、例えば中間層が２層以上（ｎ≧２）であってもよい。
【００５４】
学習についてはテストパターンを用いて事前学習を行い各結合係数を決定したが、本発明はこれに限定されるものではない。即ち、ヘッドや電気部品の経時変化による特性変化によってクロストークの状態が変わっても、例えば記録媒体の出し入れを行う度に学習を行うことで、最適な特性を保つことが可能である。また、入力層Ｂ１１１に入力される記録信号を隣接ヘッドで用いられるものとして説明を行ったが、これは隣接ヘッドのみに限定されるものではない。即ち、クロストークの影響を及ぼす可能性のあるライトヘッドからの記録信号であれば、それに起因するクロストークは本発明によって効果的に軽減することが可能である。複数以上の記録信号を入力層Ｂ１１１に入力する場合は、入力層Ｂの入力ユニットを増やしてそれぞれの記録信号を入力するか、または複数以上の記録信号の和を入力する等の構成にすればよい。
【００５５】
更に、上記実施の形態のディジタル信号記録再生装置では、回転ヘッドにヘッドを搭載した磁気記録再生装置の例で説明したが、本発明はこれに限定されるものではなく、固定ヘッドを用いたテープ記録装置や、ハードディスクのように回転媒体に記録する記録再生装置であってもよい。
【００５６】
また、本発明は、上述した本発明の記録再生装置の信号等化回路を、コンピュータを利用して実現するプログラムである。さらにはそのようなプログラムを格納したＣＤＲＯＭなどの、コンピュータでアクセス可能な媒体である。
【００５７】
このように、本発明の各構成要素は、ＡＮＤ，ＯＲ回路等のハードウェア回路で実現しても良いし、コンピュータを利用してソフトウェア的に実現してもかまわない。
【００５８】
【発明の効果】
以上のように本発明のディジタル信号記録再生装置によれば、クロストークの影響を効率よく軽減された出力を得ることが可能となるディジタル信号記録再生装置を得ることができる。
【図面の簡単な説明】
【図１】本発明の実施の形態におけるディジタル信号記録再生装置の回路図である。
【図２】同装置における非線形フィルタの回路図である。
【図３】同装置における非線形フィルタで用いられる非線形関数を説明するための図である。
【図４】従来のディジタル信号記録再生装置の回路図である。
【図５】従来のディジタル信号記録再生装置において用いられているライトヘッド、リードヘッドを有する回転ドラムを説明するための図である。
【図６】次世代のディジタル信号記録再生装置において用いられる、従来例に比べて多数のライトヘッド及びリードヘッドを有する回転ドラムを説明するための図である。
【符号の説明】
１０１　　　　ライトヘッド
１０２　　　　記録媒体
１０３　　　　リードヘッド
１０４　　　　ローパスフィルタ
１０５　　　　Ａ／Ｄ変換器
１０６　　　　非線形フィルタ
１１０　　　　入力層Ａ
１１１　　　　入力層Ｂ
１１２　　　　中間層
１１３　　　　出力層
１１４　　　　遅延素子
１１５　　　　入力層ユニット
１１６　　　　中間層ユニット
１１７　　　　出力層ユニット
１１８　　　　乗算器
【図１】
2004095096.tif 000005
【図２】
2004095096.tif 000006
【図３】
2004095096.tif 000007
【図４】
2004095096.tif 000008
【図５】
2004095096.tif 000009
【図６】
2004095096.tif 000010